(57)【要約】【課題】簡単な処理で装置内の故障を把握できるアナログ信号処理装置を提供すること。【解決手段】ｃｈ２１，２４に第１、第２センサ５，６の検出信号、ｃｈ２２，２３に第１、第２センサ５，６の測定範囲（０．５Ｖ〜２．５Ｖ）外の基準電圧（３．０Ｖ）を入力させる。そして、ｃｈ２１（００ｂ）→ｃｈ２２（０１ｂ）→ｃｈ２４（１１ｂ）→ｃｈ２３（１０ｂ）の順番で各ｃｈを指定することで、入力端子である４つのｃｈ２１，２２，２３，２４に異常がなければ、第１、第２センサ５，６の測定範囲内の電圧と、第１、第２センサ５，６の測定範囲外の基準電圧とが交互に測定される。よって、それが測定されない場合には、入力端子である４つのｃｈ２１，２２，２３，２４の何れかでオープン故障が発生していることを判定できる。【選択図】 図２
2016167784.tif 000002
【特許請求の範囲】
【請求項１】
入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたアナログ信号処理装置において、
前記信号選択手段は、
１ビット以上で構成される識別情報が割当てられ、１以上の検出手段の各々から出力される検出信号が前記アナログ信号として入力される１以上の検出信号入力手段と、
その１以上の検出信号入力手段の各々に割当てられている識別情報のうち、１ビットを反転させた識別情報が割当てられ、前記検出信号が取り得る最大電圧から最少電圧までの範囲外である基準電圧が前記アナログ信号として入力される１以上の基準電圧入力手段と、
前記制御手段から出力される選択信号であって、前記識別情報を構成する各桁のビットを指定する１以上の選択信号が入力される１以上の選択信号入力手段と、
前記１以上の検出信号入力手段と前記１以上の基準電圧入力手段とのうち、前記１以上の選択信号入力手段から入力される選択信号によって指定される識別情報に対応した１つを選択し、その選択したものから前記検出信号または前記基準電圧を前記変換手段に出力する出力手段とを備え、
前記制御手段は、
前記選択信号を、前記１以上の選択信号入力手段に出力する選択信号出力手段と、
その選択信号出力手段により選択信号を前記１以上の選択信号入力手段に出力したのに応じて、前記変換手段から出力されるデジタル信号の電圧を測定する測定手段とを備えていることを特徴とするアナログ信号処理装置。
【請求項２】
前記制御手段は、
前記測定手段により測定された電圧が前記検出信号に対応したデジタル信号の電圧である場合に、その測定した電圧が前記最大電圧から前記最少電圧までの範囲内かを判断する第１判断手段を備え、
前記第１判断手段により範囲外と判断された場合に故障があることを報知する報知手段とを備えていることを特徴とする請求項１に記載のアナログ信号処理装置。
【請求項３】
入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたアナログ信号処理装置において、
前記信号選択手段は、
１以上の検出手段の各々から出力される検出信号が前記アナログ信号として入力される１以上の検出信号入力手段と、
前記検出信号が取り得る最大電圧から最少電圧までの範囲外である基準電圧が前記アナログ信号として入力される１以上の基準電圧入力手段と、
前記制御手段から出力される選択信号が入力される１以上の選択信号入力手段と、
前記１以上の検出信号入力手段と前記１以上の基準電圧入力手段とのうち、前記１以上の選択信号入力手段から入力される選択信号によって指定される１つを選択し、その選択したものから前記検出信号または前記基準電圧を前記変換手段に出力する出力手段とを備え、
前記制御手段は、
前記１以上の検出信号入力手段の１つを指定する選択信号と、前記１以上の基準電圧入力手段の１つを指定する選択信号とを、前記１以上の選択信号入力手段に交互に出力する選択信号出力手段と、
その選択信号出力手段により選択信号を前記１以上の選択信号入力手段に出力したのに応じて、前記変換手段から出力されるデジタル信号の電圧を測定する測定手段とを備えていることを特徴とするアナログ信号処理装置。
【請求項４】
入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたアナログ信号処理装置において、
前記信号選択手段は、
１ビット以上で構成される識別情報が割当てられ、１以上の検出手段の各々から出力される検出信号が前記アナログ信号として入力される１以上の検出信号入力手段と、
その１以上の検出信号入力手段の各々に割当てられている識別情報のうち、１ビットを反転させた識別情報が割当てられ、前記検出信号が取り得る最大電圧から最少電圧までの範囲外である基準電圧が前記アナログ信号として入力される１以上の基準電圧入力手段と、
前記制御手段から出力される選択信号であって、前記識別情報を構成する各桁のビットを指定する１以上の選択信号が入力される１以上の選択信号入力手段と、
前記１以上の検出信号入力手段と前記１以上の基準電圧入力手段とのうち、前記１以上の選択信号入力手段から入力される選択信号によって指定される識別情報に対応した１つを選択し、その選択したものから前記検出信号または前記基準電圧を前記変換手段に出力する出力手段とを備え、
前記制御手段は、
前記１以上の検出信号入力手段の１つを指定する選択信号と、前記１以上の基準電圧入力手段の１つを指定する選択信号とを、前記１以上の選択信号入力手段に交互に出力する選択信号出力手段と、
その選択信号出力手段により選択信号を前記１以上の選択信号入力手段に出力したのに応じて、前記変換手段から出力されるデジタル信号の電圧を測定する測定手段とを備えていることを特徴とするアナログ信号処理装置。
【請求項５】
前記制御手段は、
前記測定手段により測定された電圧が前記検出信号に対応したデジタル信号の電圧である場合に、その測定した電圧が前記最大電圧から前記最少電圧までの範囲内かを判断する第１判断手段と、
前記測定手段により測定された電圧が前記基準電圧に対応したデジタル信号の電圧である場合に、その測定した電圧が前記最大電圧から前記最少電圧までの範囲外かを判断する第２判断手段と、
前記第１判断手段により範囲外と判断された場合、または、前記第２判断手段により範囲内と判断された場合に故障があることを報知する報知手段とを備えていることを特徴とする請求項１から４のいずれかに記載のアナログ信号処理装置。
【発明の詳細な説明】
【技術分野】
【０００１】
アナログ信号処理装置に関し、特に、簡単な処理で装置内の故障を把握できるアナログ信号処理装置に関する。
【背景技術】
【０００２】
下記特許文献１には、マルチプレクサ３１の固着故障を判定できる診断装置が開示されている。この診断装置では、４つの入力端子ＩＮ１〜４と、２つの出力端子ＯＵＴ１，２と、１つの選択信号入力端子ＳＥＬとを備えたマルチプレクサ３１に対し、各入力端子ＩＮ１〜４から入力した信号と同じ信号を２つの出力端子ＯＵＴ１，２から出力させる。そして、その２つの出力端子ＯＵＴ１，２からアナログデジタル変換器１５を介して出力される２つの出力デジタル値の差分が想定された範囲内か否かを判定することで、マルチプレクサ３１の固着故障を判定している。
【先行技術文献】
【特許文献】
【０００３】
【特許文献１】特開２０１３−３８３６号公報
【発明の概要】
【発明が解決しようとする課題】
【０００４】
しかしながら、上記特許文献１に開示されている技術では、各入力端子ＩＮ１〜４から入力した信号と同じ信号を２つの出力端子ＯＵＴ１，２から出力し、かかる出力をデジタル変換したデジタル値の差分を算出した上で、マルチプレクサ３１の固着故障を判定しているので、かかる故障を判定するための処理が複雑である、という問題点があった。
本発明は、上記した課題を解決すべく、簡単な処理で装置内の故障を把握できるアナログ信号処理装置を提供することを目的とする。
【課題を解決するための手段】
【０００５】
請求項１記載のアナログ信号処理装置は、入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたものであって、前記信号選択手段は、１ビット以上で構成される識別情報が割当てられ、１以上の検出手段の各々から出力される検出信号が前記アナログ信号として入力される１以上の検出信号入力手段と、その１以上の検出信号入力手段の各々に割当てられている識別情報のうち、１ビットを反転させた識別情報が割当てられ、前記検出信号が取り得る最大電圧から最少電圧までの範囲外である基準電圧が前記アナログ信号として入力される１以上の基準電圧入力手段と、前記制御手段から出力される選択信号であって、前記識別情報を構成する各桁のビットを指定する１以上の選択信号が入力される１以上の選択信号入力手段と、前記１以上の検出信号入力手段と前記１以上の基準電圧入力手段とのうち、前記１以上の選択信号入力手段から入力される選択信号によって指定される識別情報に対応した１つを選択し、その選択したものから前記検出信号または前記基準電圧を前記変換手段に出力する出力手段とを備え、前記制御手段は、前記選択信号を、前記１以上の選択信号入力手段に出力する選択信号出力手段と、その選択信号出力手段により選択信号を前記１以上の選択信号入力手段に出力したのに応じて、前記変換手段から出力されるデジタル信号の電圧を測定する測定手段とを備えている。
【０００６】
請求項２記載のアナログ信号処理装置は、請求項１に記載のアナログ信号処理装置において、前記制御手段は、前記測定手段により測定された電圧が前記検出信号に対応したデジタル信号の電圧である場合に、その測定した電圧が前記最大電圧から前記最少電圧までの範囲内かを判断する第１判断手段を備え、前記第１判断手段により範囲外と判断された場合に故障があることを報知する報知手段とを備えている。
【０００７】
請求項３記載のアナログ信号処理装置は、入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたものであって、前記信号選択手段は、１以上の検出手段の各々から出力される検出信号が前記アナログ信号として入力される１以上の検出信号入力手段と、前記検出信号が取り得る最大電圧から最少電圧までの範囲外である基準電圧が前記アナログ信号として入力される１以上の基準電圧入力手段と、前記制御手段から出力される選択信号が入力される１以上の選択信号入力手段と、前記１以上の検出信号入力手段と前記１以上の基準電圧入力手段とのうち、前記１以上の選択信号入力手段から入力される選択信号によって指定される１つを選択し、その選択したものから前記検出信号または前記基準電圧を前記変換手段に出力する出力手段とを備え、前記制御手段は、前記１以上の検出信号入力手段の１つを指定する選択信号と、前記１以上の基準電圧入力手段の１つを指定する選択信号とを、前記１以上の選択信号入力手段に交互に出力する選択信号出力手段と、その選択信号出力手段により選択信号を前記１以上の選択信号入力手段に出力したのに応じて、前記変換手段から出力されるデジタル信号の電圧を測定する測定手段とを備えている。
【０００８】
請求項４記載のアナログ信号処理装置は、入力される２以上のアナログ信号から１のアナログ信号を出力する信号選択手段と、その信号選択手段から出力されるアナログ信号をデジタル信号に変換する変換手段と、前記信号選択手段から出力させるアナログ信号を指定する選択信号を前記信号選択手段に出力する制御手段とを備えたものであって、前記信号選択手段は、１ビット以上で構成される識別情報が割当てられ、１以上の検出手段の各々から出力される検出信号が前記アナログ信号として入力される１以上の検出信号入力手段と、その１以上の検出信号入力手段の各々に割当てられている識別情報のうち、１ビットを反転させた識別情報が割当てられ、前記検出信号が取り得る最大電圧から最少電圧までの範囲外である基準電圧が前記アナログ信号として入力される１以上の基準電圧入力手段と、前記制御手段から出力される選択信号であって、前記識別情報を構成する各桁のビットを指定する１以上の選択信号が入力される１以上の選択信号入力手段と、前記制御手段から出力される選択信号が入力される１以上の選択信号入力手段と、前記１以上の検出信号入力手段と前記１以上の基準電圧入力手段とのうち、前記１以上の選択信号入力手段から入力される選択信号によって指定される識別情報に対応した１つを選択し、その選択したものから前記検出信号または前記基準電圧を前記変換手段に出力する出力手段とを備え、前記制御手段は、前記１以上の検出信号入力手段の１つを指定する選択信号と、前記１以上の基準電圧入力手段の１つを指定する選択信号とを、前記１以上の選択信号入力手段に交互に出力する選択信号出力手段と、その選択信号出力手段により選択信号を前記１以上の選択信号入力手段に出力したのに応じて、前記変換手段から出力されるデジタル信号の電圧を測定する測定手段とを備えている。
【０００９】
請求項５記載のアナログ信号処理装置は、請求項１から４のいずれかに記載のアナログ信号処理装置において、前記制御手段は、前記選択信号を出力した順番に応じて、前記測定手段により測定された電圧が前記検出信号に対応したデジタル信号の電圧である場合に、その測定した電圧が前記最大電圧から前記最少電圧までの範囲内かを判断する第１判断手段と、前記選択信号を出力した順番に応じて、前記測定手段により測定された電圧が前記基準電圧に対応したデジタル信号の電圧である場合に、その測定した電圧が前記最大電圧から前記最少電圧までの範囲外かを判断する第２判断手段と、前記第１判断手段により範囲外と判断された場合、または、前記第２判断手段により範囲内と判断された場合に故障があることを報知する報知手段とを備えている。
【発明の効果】
【００１０】
請求項１記載のアナログ信号処理装置によれば、信号選択手段には、アナログ信号としての検出信号が１以上の検出信号入力手段から入力され、アナログ信号としての基準電圧が１以上の基準電圧入力手段から入力される。基準電圧は、検出信号が取り得る最大電圧から最少電圧までの範囲外の電圧とされている。また、１以上の検出信号入力手段の各々と、１以上の基準電圧入力手段の各々とには、１ビット以上で構成される識別情報が割り当てられている。その識別情報を構成する各桁のビットを指定する１以上の選択信号が１以上の選択信号入力手段から入力されると、その選択信号によって１以上の検出信号入力手段と、１以上の基準電圧入力手段とのうち何れかが選択される。そうすると、その選択されたものから入力される検出信号、または、基準電圧が出力手段から変換手段に出力され、変換手段によりデジタル信号に変換され、そのデジタル信号の電圧が測定手段によって測定される。
【００１１】
そして、１以上の基準電圧入力手段の各々には、１以上の検出信号入力手段の各々に割当てられている識別情報のうち１ビットを反転させた識別情報が割当てられている。そのため、例えば、選択信号によって１の検出信号入力手段を選択したのにも拘わらず、その選択信号が入力される選択信号入力手段に故障（例えば、導通不良のために、選択信号で指定されているビット情報とは反対のビット情報が入力される等）が発生している場合、検出信号に対応したデジタル信号の電圧が取り得る最大電圧から最少電圧の範囲内の電圧が測定手段によって測定されず、その範囲外の電圧（基準電圧に対応したデジタル信号の電圧）が測定される。よって、かかるデジタル信号の電圧の測定結果が認められれば、１以上の選択信号入力手段の何れかで故障が発生していることを把握できる。従って、簡単な処理で装置内の故障を把握できるという効果がある。
【００１２】
請求項２記載のアナログ信号処理装置によれば、請求項１記載のアナログ信号処理装置の奏する効果に加え、測定手段により測定された電圧が検出信号に対応したデジタル信号の電圧である場合には、その測定した電圧が最大電圧から前記最少電圧までの範囲内かが第１判断手段によって判断され、その結果、第１判断手段により範囲外と判断された場合には、故障があることが報知手段によって報知される。よって、デジタル信号の電圧の測定結果を使用者自身が確認しなくても、故障が発生していることを検出できる。従って、簡単な処理で装置内の故障を検出できるという効果がある。
【００１３】
請求項３記載のアナログ信号処理装置によれば、信号選択手段には、アナログ信号としての検出信号が１以上の検出信号入力手段から入力され、アナログ信号としての基準電圧が１以上の基準電圧入力手段から入力される。基準電圧は、検出信号が取り得る最大電圧から最少電圧までの範囲外の電圧とされている。選択信号が１以上の選択信号入力手段から入力されると、その選択信号によって１以上の検出信号入力手段と、１以上の基準電圧入力手段とのうち何れかが選択される。そうすると、その選択されたものから入力される検出信号、または、基準電圧が出力手段から変換手段に出力され、変換手段によりデジタル信号に変換され、そのデジタル信号の電圧が測定手段によって測定される。
【００１４】
そして、１以上の選択信号入力手段には、１以上の検出信号入力手段の１つを指定する選択信号と、１以上の基準電圧入力手段の１つを指定する選択信号とが制御手段の選択信号出力手段から交互に出力される。そのため、１以上の検出信号入力手段と、１以上の基準電圧入力手段との何れかで故障がない場合、即ち、正常な場合には、デジタル信号の電圧としては、検出信号に対応したデジタル信号の電圧が取り得る最大電圧から最少電圧の範囲内の電圧と、その範囲外の電圧（基準電圧に対応したデジタル信号の電圧）とが交互に測定される。よって、かかるデジタル信号の電圧の測定結果が認められれば、１以上の検出信号入力手段と、１以上の基準電圧入力手段との何れかで故障は発生しておらず、かかる測定結果が認められなければ、１以上の検出信号入力手段と、１以上の基準電圧入力手段との何れかで故障が発生していることを把握できる。従って、簡単な処理で装置内の故障を把握できるという効果がある。
【００１５】
請求項４記載のアナログ信号処理装置によれば、信号選択手段には、アナログ信号としての検出信号が１以上の検出信号入力手段から入力され、アナログ信号としての基準電圧が１以上の基準電圧入力手段から入力される。基準電圧は、検出信号が取り得る最大電圧から最少電圧までの範囲外の電圧とされている。また、１以上の検出信号入力手段の各々と、１以上の基準電圧入力手段の各々とには、１ビット以上で構成される識別情報が割り当てられている。その識別情報を構成する各桁のビットを指定する１以上の選択信号が１以上の選択信号入力手段から入力されると、その選択信号によって１以上の検出信号入力手段と、１以上の基準電圧入力手段とのうち何れかが選択される。そうすると、その選択されたものから入力される検出信号、または、基準電圧が出力手段から変換手段に出力され、変換手段によりデジタル信号に変換され、そのデジタル信号の電圧が測定手段によって測定される。
【００１６】
そして、１以上の基準電圧入力手段の各々には、１以上の検出信号入力手段の各々に割当てられている識別情報のうち１ビットを反転させた識別情報が割当てられている。そのため、例えば、選択信号によって１の検出信号入力手段を選択したのにも拘わらず、その選択信号が入力される選択信号入力手段に故障（例えば、導通不良のために、選択信号で指定されているビット情報とは反対のビット情報が入力される等）が発生している場合、検出信号に対応したデジタル信号の電圧が取り得る最大電圧から最少電圧の範囲内の電圧が測定手段によって測定されず、その範囲外の電圧（基準電圧に対応したデジタル信号の電圧）が測定される。反対に、選択信号によって１の基準電圧入力手段を選択したのにも拘わらず、その選択信号が入力される選択信号入力手段に故障が発生している場合、基準電圧に対応したデジタル信号の電圧（検出信号に対応したデジタル信号の電圧が取り得る最大電圧から最少電圧の範囲外の電圧）が測定されず、検出信号に対応したデジタル信号の電圧が取り得る最大電圧から最少電圧の範囲内の電圧が測定される。よって、かかるデジタル信号の電圧の測定結果が認められれば、１以上の選択信号入力手段の何れかで故障が発生していることを把握できる。
【００１７】
また、１以上の選択信号入力手段には、１以上の検出信号入力手段の１つを指定する選択信号と、１以上の基準電圧入力手段の１つを指定する選択信号とが制御手段の選択信号出力手段から交互に出力される。そのため、１以上の検出信号入力手段と、１以上の基準電圧入力手段との何れかで故障がない場合、即ち、正常な場合には、デジタル信号の電圧としては、検出信号に対応したデジタル信号の電圧が取り得る最大電圧から最少電圧の範囲内の電圧と、その範囲外の電圧（基準電圧に対応したデジタル信号の電圧）とが交互に測定される。よって、かかるデジタル信号の電圧の測定結果が認められれば、１以上の検出信号入力手段と、１以上の基準電圧入力手段との何れかで故障は発生しておらず、かかる測定結果が認められなければ、１以上の検出信号入力手段と、１以上の基準電圧入力手段との何れかで故障が発生していることを把握できる。従って、簡単な処理で装置内の故障を把握できるという効果がある。
【００１８】
請求項５記載のアナログ信号処理装置によれば、請求項１から４のいずれかに記載のアナログ信号処理装置の奏する効果に加え、測定手段により測定された電圧が検出信号に対応したデジタル信号の電圧である場合には、その測定した電圧が最大電圧から前記最少電圧までの範囲内かが第１判断手段によって判断される。また、測定手段により測定された電圧が基準電圧に対応したデジタル信号の電圧である場合には、その測定した電圧が最大電圧から最少電圧までの範囲外かが第２判断手段によって判断される。そして、第１判断手段により範囲外と判断された場合、または、第２判断手段により範囲内と判断された場合には、故障があることが報知手段によって報知される。よって、デジタル信号の電圧の測定結果を使用者自身が確認しなくても、故障が発生していることを検出できる。従って、簡単な処理で装置内の故障を検出できるという効果がある。
【図面の簡単な説明】
【００１９】
【図１】アナログ信号処理装置の電気的構成を示すブロック図である。
【図２】（ａ）は正常時において各ｃｈから出力される信号を説明する表、（ｂ１）〜（ｂ４）は故障時において各ｃｈから出力される信号を説明する表である。
【図３】故障判定処理を示すフローチャートである。
【発明を実施するための形態】
【００２０】
本発明に係るアナログ信号処理装置１の実施形態について、図面を参照しながら以下に説明する。図１は、アナログ信号処理装置１の電気的構成を示すブロック図である。尚、アナログ信号処理装置１に含まれるマルチプレクサ２については、その内部構成を機能的に示している。
【００２１】
アナログ信号処理装置１は、特に、簡単な処理で自装置に含まれているマルチプレクサ２の故障を検出できるものであり、具体的には、マルチプレクサ２に設けられている入力端子である４つのｃｈ２１，２２，２３，２４の何れか、または、アドレスピン２５，２６においてオープン故障（入力端子である４つのｃｈ２１，２２，２３，２４と信号線とが接続されていなかったり、導通不良による故障、または、アドレスピン２５，２６と信号線４５ａ，４５ｂとが接続されていなかったり、導通不良による故障）が発生しているか否かを検出できるものである。
【００２２】
アナログ信号処理装置１は、主に、マルチプレクサ２と、マルチプレクサ２から出力されるアナログ信号をデジタル信号に変換するＡＤコンバータ３（以下、ＡＤＣ３）と、マルチプレクサ２から出力するアナログ信号を指定する選択信号をマルチプレクサ２に出力するコントローラ４とによって構成されている。
【００２３】
マルチプレクサ２は、複数の入力信号のうち１つの入力信号を選択し、その選択した信号をＡＤＣ３に出力するものである。マルチプレクサ２には、主に、外部からの信号が入力される入力端子である４つのｃｈ２１，２２，２３，２４と、４つのｃｈ２１，２２，２３，２４のうち、何れか１つのｃｈを指定する選択信号が入力されるアドレスピン２５，２６と、４つのｃｈ２１，２２，２３，２４から入力された信号のうちの１つをＡＤＣ３に出力する出力端子２７とが設けられている。
【００２４】
入力端子である４つのｃｈ２１，２２，２３，２４のうち、ｃｈ２１は第１センサ５と接続され第１センサ５で検出される第１検出信号が入力され、ｃｈ２２，ｃｈ２３は電源７と接続され電源７から基準電圧が入力され、ｃｈ２４は第２センサ６と接続され第２センサ６で検出される第２検出信号が入力される。
【００２５】
第１センサ５と、第２センサ６とは、被検出対象となる音声、温度、湿度、圧力などの物理量を検出して、それを第１，第２検出信号（アナログ信号）としてｃｈ２１，２４に出力するものであり、その測定範囲が０．５Ｖ（最小値）〜２．５Ｖ（最大値）となるものが使用されている。電源７はアナログ信号としての基準電圧をｃｈ２２，２３に出力するものであり、電源７から出力される基準電圧は、第１、第２センサ５，６の測定範囲（０．５Ｖ〜２．５Ｖ）の範囲外である３．０Ｖに設定されている。
【００２６】
４つのｃｈ２１，２２，２３，２４には、それぞれ２ビット構成の識別情報が割当てられている。具体的には、ｃｈ２１には００ｂ、ｃｈ２２には０１ｂ、ｃｈ２３には１０ｂ、ｃｈ２４には１１ｂの識別情報が割当てられている。換言すれば、基準電圧は、第１検出信号が入力されるｃｈ２１の識別情報（００ｂ）のうち、１桁目をビット反転させた識別情報（０１ｂ）が割当てられているｃｈ２２と、第２検出信号が入力されるｃｈ２４の識別情報（１１ｂ）のうち、１桁目をビット反転させた識別情報（１０ｂ）が割当てられているｃｈ２３に入力される。
【００２７】
アドレスピン２５，２６は、信号線４５ａ，４５ｂを介してコントローラ４と接続されており、コントローラ４から信号線４５ａ，４５ｂを介して出力される選択信号が入力される。また、アドレスピン２５，２６は、デコーダ２８に接続されており、アドレスピン２５，２６から入力された選択信号に応じて、デコーダ２８によって４つのｃｈ２１，２２，２３，２４のうち、何れか１つのｃｈが選択される。
【００２８】
即ち、アドレスピン２５には、識別情報のうち１桁目のビット情報（「０」または「１」、「０」または「１」は「Ｈｉ信号」または「Ｌｏｗ信号」を含む、以下同様）を指定する選択信号が入力され、アドレスピン２６には、識別情報のうち２桁目のビット情報（「０」または「１」）が入力される。そして、アドレスピン２５，２６から入力された選択信号に応じて、デコーダ２８によって４つのｃｈ２１，２２，２３，２４のうち、何れか１つのｃｈが選択される。
【００２９】
具体的には、アドレスピン２５から「０」、アドレスピン２６から「０」を指定する選択信号が入力された場合、デコーダ２８は、識別情報（００ｂ）が割当てられているｃｈ２１が指定されたとしてｃｈ２１に接続されているスイッチ２１ａをＯＮする（ｃｈ２１を選択する）。これにより、第１センサ５からの第１検出信号がｃｈ２１、出力端子２７を介してＡＤＣ３に出力される。尚、アドレスピン２５から「０」、アドレスピン２６から「０」を指定する選択信号が入力されなくなった場合、デコーダ２８は、ｃｈ２１に接続されているスイッチ２１ａをＯＦＦにする（以下、同様）。
【００３０】
また、アドレスピン２５から「１」、アドレスピン２６から「０」を指定する選択信号が入力された場合、デコーダ２８は、識別情報（０１ｂ）が割当てられているｃｈ２２が指定されたとしてｃｈ２２に接続されているスイッチ２２ａをＯＮにする（ｃｈ２２を選択する）。これにより、電源７からの基準電圧がｃｈ２２、出力端子２７を介してＡＤＣ３に出力される。
【００３１】
また、アドレスピン２５から「０」、アドレスピン２６から「１」を指定する選択信号が入力された場合、デコーダ２８は、識別情報（１０ｂ）が割当てられているｃｈ２３が指定されたとしてｃｈ２３に接続されているスイッチ２３ａをＯＮにする（ｃｈ２３を選択する）。これにより、電源７から基準電圧がｃｈ２３、出力端子２７を介してＡＤＣ３に出力される。
【００３２】
また、アドレスピン２５から「１」、アドレスピン２６から「１」を指定する選択信号が入力された場合、デコーダ２８は、識別情報（１１ｂ）が割当てられているｃｈ２４が選択されたとしてｃｈ２４に接続されているスイッチ２４ａをＯＮにする（ｃｈ２４を選択する）。これにより、第２センサ６からの第２検出信号がｃｈ２４、出力端子２７を介してＡＤＣ３に出力される。
【００３３】
このように、マルチプレクサ２によれば、入力される複数のアナログ信号（第１、第２検出信号、基準電圧）に対し、そのうちの一つをＡＤＣ３に出力してデジタル信号に変換することができる。
【００３４】
尚、ｃｈ２１と第１センサ５との間にはバッファ回路５０、ｃｈ２２，２３と電源７との間にはバッファ回路５１，５２、ｃｈ２４と第２センサ６との間にはバッファ回路５３、出力端子２７とＡＤＣ３との間にはバッファ回路６０が設けられている。バッファ回路５０，５１，５２，５３，６０はオペアンプにより構成されている。バッファ回路５０，５１，５２，５３，６０によって、第１，第２検出信号、基準電圧（アナログ信号）に含まれる電流の変化に伴う電圧変動（ノイズ）を、ＡＤＣ３に入力する前に、抑えることができる。換言すれば、ＡＤＣ３において安定したデジタル信号に変換できる。
【００３５】
コントローラ４は、入出力ポート４５、信号線４５ａ，４５ｂを介してアドレスピン２５，２６に選択信号を出力すると共に、ＡＤＣ３から出力されるデジタル信号の電圧を測定し、その測定結果から入力端子である４つのｃｈ２１，２２，２３，２４の何れか、または、アドレスピン２５，２６においてオープン故障が発生しているか否かを判定するものである。コントローラ４は、主に、ＣＰＵ４１、ＲＯＭ４２、ＲＡＭ４３、入出力ポート４５によって構成され、ＣＰＵ４１、ＲＯＭ４２、ＲＡＭ４３は、バスライン４６を介して入出力ポート４５に接続されている。
【００３６】
ＣＰＵ４１は、ＲＯＭ４２に記憶されている固定値やプログラムに従って、入出力ポート４５と接続された各部を制御する演算装置である。ＲＯＭ４２は、アナログ信号処理装置１で実行される制御プログラム等を格納した書換不能な不揮発性のメモリであり、ＲＯＭ４２には、図３に示す故障判定処理を実行する故障判定プログラム４２ａが格納されている。即ち、図３に示す故障判定処理は、ＲＯＭ４２に格納されている故障判定プログラム４２ａに従ってＣＰＵ４１によって実行される。
【００３７】
故障判定プログラム４２ａは、マルチプレクサ２に設けられている入力端子である４つのｃｈ２１，２２，２３，２４の何れか、または、アドレスピン２５，２６においてオープン故障が発生しているか否かを検出するプログラムである。ここで、図２を参照して、故障判定プログラム４２ａの概略について説明する。
【００３８】
故障判定プログラム４２ａでは、４つのｃｈ２１〜２４に対し、ｃｈ２１（００ｂ）、ｃｈ２２（０１ｂ）、ｃｈ２４（１１ｂ）、ｃｈ２３（１０ｂ）の順番で各ｃｈを指定する選択信号を出力するようにプログラムされている。尚、ｃｈ２３（１０ｂ）を指定した後は、再び、ｃｈ２１（００ｂ）から指定される。
【００３９】
即ち、コントローラ４からは、アドレスピン２５に「０」、アドレスピン２６に「０」を指定する選択信号、アドレスピン２５に「１」、アドレスピン２６に「０」を指定する選択信号、アドレスピン２５に「１」、アドレスピン２６に「１」を指定する選択信号、アドレスピン２５に「０」、アドレスピン２６に「１」を指定する選択信号が、順番に出力される。
【００４０】
そのため、図２（ａ）に示す通り、入力端子である４つのｃｈ２１，２２，２３，２４と、アドレスピン２５，２６との何れにもオープン故障が発生していない場合（正常時の場合）、コントローラ４には、マルチプレクサ２の出力端子２７、ＡＤＣ３を介して、第１センサ５の第１検出信号に対応するデジタル信号、基準電圧に対応するデジタル信号、第２センサ６の第２検出信号に対応するデジタル信号、基準電圧に対応するデジタル信号の順番で各デジタル信号が出力される。
【００４１】
よって、コントローラ４は、その出力されるデジタル信号の電圧を測定し、その測定結果が、第１センサ５の測定範囲内（０．５Ｖ〜２．５Ｖ）の電圧、第１センサ５の測定範囲外の電圧（基準電圧である３．０Ｖ）、第２センサ６の測定範囲内（０．５Ｖ〜２．５Ｖ）の電圧、第２センサ６の測定範囲外の電圧（基準電圧である３．０Ｖ）の順番で測定されれば、入力端子である４つのｃｈ２１，２２，２３，２４と、アドレスピン２５，２６との何れにもオープン故障が発生していない（正常）、と判定できる。
【００４２】
一方で、入力端子である４つのｃｈ２１，２２，２３，２４の何れか、または、アドレスピン２５，２６においてオープン故障が発生している場合（異常時の場合）は、次の通りに判定する。
【００４３】
まず、図２（ａ）を参照して、アドレスピン２５，２６は正常であると仮定して、入力端子である４つのｃｈ２１，２２，２３，２４の何れかでオープン故障が発生している場合（異常時の場合）につて説明する。この場合、マルチプレクサ２の特性により直前のｃｈで測定した電圧に近い値が測定されるので、ｃｈ２１（００ｂ）→ｃｈ２２（０１ｂ）→ｃｈ２４（１１ｂ）→ｃｈ２３（１０ｂ）の順番で各ｃｈを指定し、ｃｈ２３（１０ｂ）を指定した後は、再び、ｃｈ２１（００ｂ）から指定している。
【００４４】
例えば、ｃｈ２１（００ｂ）で故障が発生したとする。尚、ｃｈ２１（００ｂ）で故障が発生したのは、２周目以降とする。この場合、ｃｈ２１（００ｂ）の電圧を測定すると、本来の第１センサ５の測定範囲内（０．５Ｖ〜２．５Ｖ）の電圧は測定されず、直前のｃｈで測定した電圧に近い値、即ち、ｃｈ２３（１０ｂ）で測定した第２センサ６の測定範囲外の電圧（基準電圧である３．０Ｖ）に近い値が測定される。よって、かかる電圧が測定された場合には、ｃｈ２１（００ｂ）で故障が発生していることを判定できる。尚、アドレスピン２５，２６が異常である可能性もあるので、ｃｈ２１（００ｂ）で故障が発生していることは断定できない（以下、同様である）。
【００４５】
次に、ｃｈ２２（０１ｂ）で故障が発生したとする。この場合、ｃｈ２２（０１ｂ）の電圧を測定すると、本来の第１センサ５の測定範囲外の電圧（基準電圧である３．０Ｖ）は測定されず、直前のｃｈで測定した電圧に近い値、即ち、ｃｈ２１（００ｂ）で測定した第１センサ５の測定範囲内（０．５Ｖ〜２．５Ｖ）の電圧に近い値が測定される。よって、かかる電圧が測定された場合には、ｃｈ２２（０１ｂ）で故障が発生していることを判定できる。
【００４６】
次に、ｃｈ２４（１１ｂ）で故障が発生したとする。この場合、ｃｈ２４（１１ｂ）の電圧を測定すると、本来の第２センサ６の測定範囲内（０．５Ｖ〜２．５Ｖ）の電圧は測定されず、直前のｃｈで測定した電圧に近い値、即ち、ｃｈ２２（０１ｂ）で測定した第１センサ５の測定範囲外の電圧（基準電圧である３．０Ｖ）に近い値が測定される。よって、かかる電圧が測定された場合には、ｃｈ２４（１１ｂ）で故障が発生していることを判定できる。
【００４７】
次に、ｃｈ２３（１０ｂ）で故障が発生したとする。この場合、ｃｈ２３（１０ｂ）の電圧を測定すると、本来の第２センサ６の測定範囲外の電圧（基準電圧である３．０Ｖ）は測定されず、直前のｃｈで測定した電圧に近い値、即ち、ｃｈ２４（１１ｂ）で測定した第２センサ６の測定範囲内（０．５Ｖ〜２．５Ｖ）の電圧に近い値が測定される。よって、かかる電圧が測定された場合には、ｃｈ２３（１０ｂ）で故障が発生していることを判定できる。
【００４８】
このように、本実施形態では、ｃｈ２１（００ｂ）→ｃｈ２２（０１ｂ）→ｃｈ２４（１１ｂ）→ｃｈ２３（１０ｂ）の順番で各ｃｈを指定するので、入力端子である４つのｃｈ２１，２２，２３，２４に異常がなければ、第１、第２センサ５，６の測定範囲内（０．５Ｖ〜２．５Ｖ）の電圧と、第１、第２センサ５，６の測定範囲外の電圧（基準電圧である３．０Ｖ）とが交互に測定される。よって、それが測定されない場合には、入力端子である４つのｃｈ２１，２２，２３，２４の何れかでオープン故障が発生していることを判定できる。
【００４９】
次に、入力端子である４つのｃｈ２１，２２，２３，２４が正常であると仮定して、アドレスピン２５，２６でオープン故障が発生している場合（異常時の場合）について説明する。アドレスピン２５，２６でオープン故障が発生している場合には、図２（ｂ１）〜（ｂ４）に示すパターンがある。
【００５０】
図２（ｂ１）は、アドレスピン２５が「０」に固定されるオープン故障が発生している場合を示している。この場合、アドレスピン２５に「１」を指定する選択信号を出力しても、アドレスピン２５に「０」を指定する選択信号を出力したものとされる。図２（ｂ２）は、アドレスピン２５が「１」に固定されるオープン故障が発生している場合を示している。この場合、アドレスピン２５に「０」を指定する選択信号を出力しても、アドレスピン２５に「１」を指定する選択信号を出力したものとされる。図２（ｂ３）は、アドレスピン２６が「０」に固定されるオープン故障が発生している場合を示している。この場合、アドレスピン２６に「１」を指定する選択信号を出力しても、アドレスピン２６に「０」を指定する選択信号を出力したものとされる。図２（ｂ４）は、アドレスピン２６が「１」に固定されるオープン故障が発生している場合を示している。この場合、アドレスピン２６に「０」を指定する選択信号を出力しても、アドレスピン２６に「１」を指定する選択信号を出力したものとされる。
【００５１】
例えば、ｃｈ２１（００ｂ）が指定されたとする。この場合、正常であれば、図２（ａ）に示す第１センサ５の測定範囲内（０．５Ｖ〜２．５Ｖ）の電圧が測定される。一方、図２（ｂ２）に示すアドレスピン２５が「１」に固定されるオープン故障が発生している場合には、第１センサ５の測定範囲外の電圧（基準電圧である３．０Ｖ）が測定される。また、図２（ｂ４）に示すアドレスピン２６が「１」に固定されるオープン故障が発生している場合には、第２センサ６の測定範囲外の電圧（基準電圧である３．０Ｖ）が測定される。よって、ｃｈ２１（００ｂ）を指定したにも拘わらず、第１センサ５の測定範囲内（０．５Ｖ〜２．５Ｖ）の電圧が測定されない場合には、アドレスピン２５，２６でオープン故障が発生していることを判定できる。
【００５２】
次に、ｃｈ２２（０１ｂ）が指定されたとする。この場合、正常であれば、図２（ａ）に示す第１センサ５の測定範囲外の電圧（基準電圧である３．０Ｖ）が測定される。一方、図２（ｂ１）に示すアドレスピン２５が「０」に固定されるオープン故障が発生している場合には、第１センサ５の測定範囲内（０．５Ｖ〜２．５Ｖ）の電圧が測定される。また、図２（ｂ４）に示すアドレスピン２６が「１」に固定されるオープン故障が発生している場合には、第２センサ６の測定範囲内（０．５Ｖ〜２．５Ｖ）の電圧が測定される。よって、ｃｈ２２（０１ｂ）を指定したにも拘わらず、第１センサ５の測定範囲外の電圧（基準電圧である３．０Ｖ）が測定されない場合には、アドレスピン２５，２６でオープン故障が発生していることを判定できる。
【００５３】
次に、ｃｈ２４（１１ｂ）が指定されたとする。この場合、正常であれば、図２（ａ）に示す第２センサ６の測定範囲内（０．５Ｖ〜２．５Ｖ）の電圧が測定される。一方、図２（ｂ１）に示すアドレスピン２５が「０」に固定されるオープン故障が発生している場合には、第２センサ６の測定範囲外の電圧（基準電圧である３．０Ｖ）が測定される。また、図２（ｂ３）に示すアドレスピン２６が「０」に固定されるオープン故障が発生している場合には、第１センサ５の測定範囲外の電圧（基準電圧である３．０Ｖ）が測定される。よって、ｃｈ２４（１１ｂ）を指定したにも拘わらず、第２センサ６の測定範囲内（０．５Ｖ〜２．５Ｖ）の電圧が測定されない場合には、アドレスピン２５，２６でオープン故障が発生していると判定できる。
【００５４】
次に、ｃｈ２３（１０ｂ）が指定されたとする。この場合、正常であれば、図２（ａ）に示す第２センサ５の測定範囲外の電圧（基準電圧である３．０Ｖ）が測定される。一方、図２（ｂ２）に示すアドレスピン２５が「１」に固定されるオープン故障が発生している場合には、第２センサ６の測定範囲内（０．５Ｖ〜２．５Ｖ）の電圧が測定される。また、図２（ｂ３）に示すアドレスピン２６が「０」に固定されるオープン故障が発生している場合には、第１センサ５の測定範囲内（０．５Ｖ〜２．５Ｖ）の電圧が測定される。よって、ｃｈ２３（１０ｂ）を指定したにも拘わらず、第２センサ５の測定範囲外の電圧（基準電圧である３．０Ｖ）が測定されない場合には、アドレスピン２５，２６でオープン故障が発生していると判定できる。
【００５５】
このように、本実施形態では、識別情報（００ｂ）が割当てられているｃｈ２１に、測定範囲が０．５Ｖ（最小値）〜２．５Ｖ（最大値）となる第１センサ５の第１検出信号を入力させ、そのｃｈ２１の識別情報（００ｂ）のうち、１桁目をビット反転させた識別情報（０１ｂ）が割当てられているｃｈ２２に、第１センサ５の測定範囲（０．５Ｖ〜２．５Ｖ）の範囲外である基準電圧（３．０Ｖ）を入力させている。
【００５６】
また、識別情報（１１ｂ）が割当てられているｃｈ２４に、測定範囲が０．５Ｖ（最小値）〜２．５Ｖ（最大値）となる第２センサ６の第２検出信号を入力させ、そのｃｈ２４の識別情報（００ｂ）のうち、１桁目をビット反転させた識別情報（１０ｂ）が割当てられているｃｈ２３に、第２センサ６の測定範囲（０．５Ｖ〜２．５Ｖ）の範囲外である基準電圧（３．０Ｖ）を入力させている。
【００５７】
そのため、アドレスピン２５，２６でオープン故障が発生している場合、指定したｃｈから測定される筈の電圧が測定されず、その範囲外の電圧が測定される。よって、かかる測定結果からアドレスピン２５，２６でオープン故障が発生しているかを判定できる。
【００５８】
一方、本実施形態とは異なる次の場合には、アドレスピン２５，２６でオープン故障が発生していることを判定できない。即ち、本実施形態とは異なり、ｃｈ２１（００ｂ）に第１センサ５の第１検出信号を入力させ、その識別情報（００ｂ）の１桁目と、２桁目とをビット反転させたｃｈ２４（１１ｂ）に基準電圧を入力させる。また、ｃｈ２２（０１ｂ）に第２センサ６の第２検出信号に入力させ、その識別情報（０１ｂ）の１桁目と、２桁目とをビット反転させたｃｈ２３（１０ｂ）に基準電圧を入力させる。
【００５９】
そして、この場合にアドレスピン２５が「０」に固定されるオープン故障が発生し、アドレスピン２５に「１」を指定する選択信号を出力しても、アドレスピン２５には「０」を指定する選択信号が出力されるとする。
【００６０】
そうすると、ｃｈ２２（０１ｂ）を指定した場合、正常であれば第２センサ６の測定範囲内（０．５Ｖ〜２．５Ｖ）の電圧が測定されるのに、第１センサ５の測定範囲内（０．５Ｖ〜２．５Ｖ）の電圧が測定される。アドレスピン２５が「０」に固定されるオープン故障が発生しているので、ｃｈ２１（００ｂ）が指定したとみなされるからである。しかし、かかる両者の電圧は共に０．５Ｖ〜２．５Ｖなので、アドレスピン２５が「０」に固定されるオープン故障が発生しているのにも拘わらず、かかる故障を判定できない。
【００６１】
同様に、ｃｈ２４（１１ｂ）を指定した場合、正常であれば第１センサ５の測定範囲外の電圧（基準電圧である３．０Ｖ）が測定されるのに、第２センサ６の測定範囲外の電圧（基準電圧である３．０Ｖ）が測定される。アドレスピン２５が「０」に固定されるオープン故障が発生しているので、ｃｈ２３（１０ｂ）が指定したとみなされるからである。しかし、かかる両者の電圧は共に基準電圧である３．０Ｖなので、アドレスピン２５が「０」に固定されるオープン故障が発生しているのにも拘わらず、かかる異常を判定できない。
【００６２】
このように、第１、第２センサ５，６の第１、第２検出信号を入力させるｃｈ２１，２２に割当てられている識別情報（００ｂ、０１ｂ）に対し、２ビット反転させた識別情報（１１ｂ、１０ｂ）が割当てられているｃｈ２４，ｃｈ２３に基準電圧を入力させる場合には、アドレスピン２５，２６でオープン故障が発生していることを判定できないのである。
【００６３】
再び、図１に戻り説明を続ける。ＲＡＭ４３は、各種情報を一時的に記憶する書換可能な揮発性のメモリであり、例えば、ＡＤＣ３から出力されるデジタル信号を一時的に記憶する。また、コントローラ４の入出力ポート４５には、ＬＥＤ７０が接続されている。ＬＥＤ７０は、マルチプレクサ２の入力端子である４つのｃｈ２１，２２，２３，２４の何れか、または、アドレスピン２５，２６においてオープン故障が発生しているか否かを使用者に報知するランプであり、例えば、赤色ＬＥＤと、青色ＬＥＤとが設けられている。そして、ＣＰＵ４１が、上述した故障判定プログラム４２ａに従って、入力端子である４つのｃｈ２１，２２，２３，２４の何れか、または、アドレスピン２５，２６においてオープン故障が発生していない、と判定した場合には、青色ＬＥＤを点灯させ、入力端子である４つのｃｈ２１，２２，２３，２４の何れか、または、アドレスピン２５，２６においてオープン故障が発生していると判定した場合には、赤色ＬＥＤを点滅させる。これにより、使用者に対し、入力端子である４つのｃｈ２１，２２，２３，２４の何れか、または、アドレスピン２５，２６においてオープン故障が発生しているか否かを報知することができる。
【００６４】
このように、アナログ信号処理装置１では、基準電圧は、第１検出信号が入力されるｃｈ２１の識別情報（００ｂ）のうち１桁目をビット反転させた識別情報（０１ｂ）が割当てられているｃｈ２２から入力されると共に、第２検出信号が入力されるｃｈ２４の識別情報（１１ｂ）のうち１桁目をビット反転させた識別情報（１０ｂ）が割当てられているｃｈ２３から入力される。そのため、アドレスピン２５，２６でオープン故障が発生しているかを判定できる。
【００６５】
また、マルチプレクサ２において、ｃｈ２１（００ｂ）、ｃｈ２２（０１ｂ），ｃｈ２４（１１ｂ）、ｃｈ２３（１０ｂ）の順番で各ｃｈが選択されるように選択信号が出力される。即ち、検出信号（第１検出信号、または、第２検出信号）と、基準信号とが交互に選択されるように選択信号が出力される。そのため、コントローラ４には、マルチプレクサ２、ＡＤＣ３を介して、検出信号（第１検出信号、または、第２検出信号）に対応したデジタル信号と、基準電圧に対応したデジタル信号とが交互に出力される。そして、そのデジタル信号が出力される順番でデジタル信号の電圧をコントローラ４において測定し、検出信号（第１検出信号、または、第２検出信号）の測定範囲内の電圧と、測定範囲外の電圧とが交互に測定されれば、入力端子である４つのｃｈ２１，２２，２３，２４の何れかでオープン故障が発生していないと判定でき、そうでなければ、入力端子である４つのｃｈ２１，２２，２３，２４の何れかでオープン故障が発生していると判定できる。よって、簡単な処理で、入力端子である４つのｃｈ２１，２２，２３，２４の何れか、または、アドレスピン２５，２６でオープン故障が発生しているか否かを検出できる。
【００６６】
図３は、故障判定処理を示すフローチャートである。この処理では、まず、ＣＰＵ４１は、ｃｈ２１、ｃｈ２２、ｃｈ２４、ｃｈ２３の順番で、各ｃｈを指定する選択信号を入出力ポート４５、信号線４５ａ，４５ｂを介してアドレスピン２５，２６に出力する（Ｓ１）。そうすると、マルチプレクサ２が正常に動作していれば（故障がなければ）、次の順番でデジタル信号がＲＡＭ４３に記憶される。
【００６７】
まずは、ｃｈ２１に接続されている第１センサ５の第１検出信号がマルチプレクサ２の出力端子２７からＡＤＣ３に出力され、ＡＤＣ３においてデジタル信号に変換され、第１検出信号に対応するデジタル信号が入出力ポート４５を介してＲＡＭ４３に記憶される。次に、ｃｈ２２に接続されている電源７の基準電圧がマルチプレクサ２の出力端子２７からＡＤＣ３に出力され、ＡＤＣ３においてデジタル信号に変換され、基準電圧に対応するデジタル信号が入出力ポート４５を介してＲＡＭ４３に記憶される。次に、ｃｈ２４に接続されている第２センサ６の第２検出信号がマルチプレクサ２の出力端子２７からＡＤＣ３に出力され、ＡＤＣ３においてデジタル信号に変換され、第２検出信号に対応するデジタル信号が入出力ポート４５を介してＲＡＭ４３に記憶される。最後に、ｃｈ２３に接続されている電源７の基準電圧がマルチプレクサ２の出力端子２７からＡＤＣ３に出力され、ＡＤＣ３においてデジタル信号に変換され、基準電圧に対応するデジタル信号が入出力ポート４５を介してＲＡＭ４３に記憶される。
【００６８】
そして、まずは、ＲＡＭ４３に記憶されているｃｈ２１からの第１検出信号に対応するデジタル信号の電圧を測定し（Ｓ２）、その測定結果が測定範囲内（０．５Ｖ〜２．５Ｖ）か否かを判断する（Ｓ３）。その結果、測定範囲外（０．５Ｖ以下、あるいは、２．５Ｖ以上）であれば（Ｓ３：Ｎｏ）、第１検出信号に対応するデジタル信号とは異なるデジタル信号が出力されている、即ち、ｃｈ２１、または、アドレスピン２５，２６においてオープン故障が発生していると判定して、赤色ＬＥＤを点滅し（Ｓ１１）、本処理を終了する。
【００６９】
一方、Ｓ３の判断において、Ｓ２の測定結果が測定範囲内（０．５Ｖ〜２．５Ｖ）であれば（Ｓ３：Ｙｅｓ）、ＲＡＭ４３に記憶されているｃｈ２２からの基準電圧に対応するデジタル信号の電圧を測定し（Ｓ４）、その測定結果が測定範囲外（０．５Ｖ以下、あるいは、２．５Ｖ以上）か否かを判断する（Ｓ５）。その結果、測定範囲内（０．５Ｖ〜２．５Ｖ）であれば（Ｓ５：Ｎｏ）、基準電圧に対応するデジタル信号とは異なるデジタル信号が出力されている、即ち、ｃｈ２２、または、アドレスピン２５，２６においてオープン故障が発生していると判定して、赤色ＬＥＤを点滅し（Ｓ１１）、本処理を終了する。
【００７０】
一方、Ｓ５の判断において、Ｓ４の測定結果が測定範囲外（０．５Ｖ以下、あるいは、２．５Ｖ以上）であれば（Ｓ５：Ｙｅｓ）、ＲＡＭ４３に記憶されているｃｈ２４からの第２検出信号に対応するデジタル信号の電圧を測定し（Ｓ６）、その測定結果が測定範囲内（０．５Ｖ〜２．５Ｖ）か否かを判断する（Ｓ７）。その結果、測定範囲外（０．５Ｖ以下、あるいは、２．５Ｖ以上）であれば（Ｓ７：Ｎｏ）、第２検出信号に対応するデジタル信号とは異なるデジタル信号が出力されている、即ち、ｃｈ２４、または、アドレスピン２５，２６にオープン故障が発生していると判定して、赤色ＬＥＤを点滅し（Ｓ１１）、本処理を終了する。
【００７１】
一方、Ｓ７の判断において、Ｓ６の測定結果が測定範囲内（０．５Ｖ〜２．５Ｖ）であれば（Ｓ７：Ｙｅｓ）、ＲＡＭ４３に記憶されているｃｈ２３からの基準電圧に対応するデジタル信号の電圧を測定し（Ｓ８）、その測定結果が測定範囲外（０．５Ｖ以下、あるいは、２．５Ｖ以上）か否かを判断する（Ｓ９）。その結果、測定範囲内（０．５Ｖ〜２．５Ｖ）であれば（Ｓ９：Ｎｏ）、基準電圧に対応するデジタル信号とは異なるデジタル信号が出力されている、即ち、ｃｈ２３、または、アドレスピン２５，２６にオープン故障が発生していると判定して、赤色ＬＥＤを点滅し（Ｓ１１）、本処理を終了する。
【００７２】
一方、Ｓ９の判断において、Ｓ８の測定結果が測定範囲外（０．５Ｖ以下、あるいは、２．５Ｖ以上）であれば（Ｓ９：Ｙｅｓ）、ｃｈ２１からの第１検出信号に対応したデジタル信号、ｃｈ２２からの基準電圧に対応するデジタル信号、ｃｈ２４からの第２検出信号に対応したデジタル信号、ｃｈ２３からの基準電圧に対応するデジタル信号が、正常にコントローラ４に出力されている、即ち、入力端子である４つのｃｈ２１，２２，２３，２４と、アドレスピン２５，２６との何れにおいてもオープン故障が発生していないと判定して、青色ＬＥＤランプを点灯し（Ｓ１０）、再び、Ｓ１からの処理を繰り返す。このように、故障判定処理によれば、簡単な処理で、入力端子である４つのｃｈ２１，２２，２３，２４の何れか、または、アドレスピン２５，２６でオープン故障が発生しているか否かを検出できる。
【００７３】
以上、本発明に係るアナログ信号処理装置１について説明したが、本発明はこれに限定されることはなく、その趣旨を逸脱しない範囲で様々な変更が可能である。
【００７４】
上記実施形態では、入力端子である４つのｃｈ２１，２２，２３，２４の何れかに加えて、アドレスピン２５，２６でオープン故障が発生しているか否かを検出できるように、基準電圧を、第１センサ５の第１検出信号が入力されるｃｈ２１（００ｂ）のうち１桁目をビット反転させた識別情報（０１ｂ）が割当てられているｃｈ２２と、第２センサ６の第２検出信号が入力されるｃｈ２４（１１ｂ）のうち１桁目をビット反転させた識別情報（１０ｂ）が割当てられているｃｈ２３とに入力させていた。
【００７５】
しかし、アドレスピン２５，２６でオープン故障が発生しているか否かを検出する必要がない場合には、これに限定されない。この場合には、検出信号を入力させるｃｈと、基準電圧を入力させるｃｈとを交互に指定すれば良い。例えば、ｃｈ２１（００ｂ）に第１センサの検出信号、ｃｈ２２（０１ｂ）に第２センサの検出信号、ｃｈ２３（１０ｂ）に第３センサの検出信号、ｃｈ２４（１１ｂ）に基準電圧を入力させる。そして、例えば、ｃｈ２１（００ｂ）→ｃｈ２４（１１ｂ）→ｃｈ２２（０１ｂ）→ｃｈ２４（１１ｂ）→ｃｈ２３（１０ｂ）→ｃｈ２４（１１ｂ）→ｃｈ２２（０１ｂ）→ｃｈ２４（１１ｂ）・・・・のように指定しても良い。
【００７６】
反対に、上記実施形態では、アドレスピン２５，２６に加え、入力端子である４つのｃｈ２１，２２，２３，２４の何れかでオープン故障が発生しているか否かを検出できるように、検出信号を入力させるｃｈと、基準電圧を入力させるｃｈとを交互に指定する場合について説明した。しかし、入力端子である４つのｃｈ２１，２２，２３，２４の何れかでオープン故障が発生しているか否かを検出する必要がない場合には、これに限定されない。この場合には、基準電圧を、検出信号が入力されるｃｈの識別情報に対して１ビット反転させた識別情報が割当てられているｃｈに入力させれば良く、どのｃｈを、如何なるｃｈで指定するかは任意である。よって、検出信号が入力される任意のｃｈだけを任意の順番で指定しても良く、効率的に検出信号の電圧を測定できる。
【００７７】
上記実施形態では、マルチプレクサ２に４つのｃｈ２１〜２４、２本のアドレスピン２５，２６を設け、その各ｃｈに２ビット構成の識別情報を割当てる場合について説明したがこれに限定されない。例えば、８つのｃｈ、３本のアドレスピンを設け、その各ｃｈに３ビット構成の識別情報を割当てたり、１６のｃｈ、４本のアドレスピンを設け、その各ｃｈに４ビット構成の識別情報を割当てるようにしても良い。この場合も、上記実施形態と同様に、検出信号が入力されるｃｈに割り当てられている識別情報のうち、１ビット反転させた識別情報のｃｈに基準電圧を入力させ、検出信号と、基準電圧とが選択信号によって交互に選択されるようにすれば、上記実施形態と同様な効果がある。
【００７８】
また、上記実施形態では、故障判定処理において、測定したデジタル信号の電圧が測定範囲内か否か（図３のＳ３，Ｓ７）、測定範囲外か否か（図３のＳ５，Ｓ９）を判断する場合について説明したが、これに限定されない。例えば、かかる判断を省略して、コントローラ４は、測定結果を出力するに留め、その測定結果から使用者が故障か否かの判断をするようにしても良い。また、故障か否かを報知する手段としては、ＬＥＤ７０の表示に限定されず、例えば、音声、警報、ＬＣＤ等を使って報知するようにしても良い。
【００７９】
また、上記実施形態では、検出信号の測定範囲を０．５Ｖ〜２．５Ｖ、基準電圧を３．０Ｖとする場合について説明したが、これに限定されない。検出信号の測定範囲は、被検出対象に応じて設定すれば良く、基準電圧は、その測定範囲外であれば良い。
【００８０】
また、マルチプレクサ２によってｃｈを切り換え、ＡＤＣ３によってデジタル信号に変換された信号の電圧を測定する場合には、切り換え前と、切り換え後との間に不安定期間が存在するため、切り換え後のデジタル信号の電圧は、その不安定期間が経過した後に測定するのが好ましい。そのため、不安定期間経過後に、切り換え後のデジタル信号の電圧の測定できるよう、スキャンタイムが設けられており、そのスキャンタイム経過後に、切り換え後のデジタル信号の電圧を測定するように制御されている。しかし、本実施形態の場合、基準電圧に対応するデジタル信号の電圧は、故障検出ためのであり、高い精度が要求されるものではない。よって、例えば、ｃｈ２１（第１検出信号）からｃｈ２２（基準電圧）にｃｈを切り換える場合のスキャンタイムと、ｃｈ２４（第２検出信号）からｃｈ２３（基準電圧）にｃｈを切り換える場合のスキャンタイムとを、ｃｈ２２（基準電圧）からｃｈ２４（第２検出信号）にｃｈを切り換える場合のスキャンタイムと、ｃｈ２３（基準電圧）からｃｈ２１（第１検出信号）にｃｈを切り換える場合のスキャンタイムとよりも短く設定しても良い、かかる場合には、故障判定の速度を早めつつ、第１、第２検出信号に対応したデジタル信号の電圧を正確に測定できる。
【符号の説明】
【００８１】
１                  アナログ信号処理装置
２                  マルチプレクサ（信号選択手段の一例）
３                  ＡＤＣ（変換手段の一例）
４                  コントローラ（制御手段の一例）
２５                アドレスピン（選択信号入力手段の一例）
２６                アドレスピン（選択信号入力手段の一例）
７０                ＬＥＤ（報知手段の一例）
Ｓ１                選択信号出力手段の一例
Ｓ２，Ｓ４，Ｓ６、Ｓ８  測定手段の一例
Ｓ３，Ｓ７          第１判断手段の一例
Ｓ５，Ｓ９          第２判断手段の一例
ｃｈ２１、ｃｈ２４  検出信号入力手段の一例
ｃｈ２２，ｃｈ２３  基準電圧入力手段の一例
【図１】
2016167784.tif 000003
【図２】
2016167784.tif 000004
【図３】
2016167784.tif 000005